Podtech/llm-jp-corpus-v4-ja_patent huggingface dataset:
(57)【要約】      （修正有）【課題】車両タイヤへ供給する圧縮空気を改質してその特性を向上させることが可能な空気改質装置を提供する。【解決手段】圧縮空気の流通経路（エアホース）中に、木材を炭化炉で高温焼成したものにセラミック加工を施した炭材４を収容した空気改質器３１を設けて、当該空気改質器３１に圧縮空気を流入させ、改質された圧縮空気を車両タイヤに供給する。【選択図】図２
0003216237.tif 000002
【実用新案登録請求の範囲】
【請求項１】
空気の流通経路中に、木材を炭化炉で高温焼成したものにセラミック加工を施した炭材を収容した空気改質器を設けて、当該空気改質器に空気を流入させ、改質された空気を流出させるようにした空気改質装置。
【請求項２】
請求項１に記載の空気改質装置に圧縮空気を流入させ、当該空気改質装置で改質された前記圧縮空気を車両タイヤに供給するタイヤ空気供給装置。
【考案の詳細な説明】
【技術分野】
【０００１】
本考案は空気改質装置に関し、特に車両タイヤへ供給する圧縮空気を改質してタイヤ性能の向上を図る用途に好適に使用できる空気改質装置に関するものである。
【背景技術】
【０００２】
特許文献１には、内部に粉末の平津長石を充填して、内燃機関へ供給される空気を改質することにより燃費を向上させるたようにした空気改質体（装置）が開示されている。
【先行技術文献】
【特許文献】
【０００３】
【特許文献１】特開平１０−１６９５１８
【考案の概要】
【考案が解決しようとする課題】
【０００４】
上記従来の空気改質装置は内燃機関へ供給する空気を改質することによってその燃費を向上させるものであるが、車両の場合には内燃機関の燃費改善以外にも車両特性の向上を図る部分は多く、特に路面と接するタイヤの特性向上が望まれている。
【０００５】
そこで、本考案はこのような課題を解決するもので、特に車両タイヤへ供給する圧縮空気を改質してその特性を向上させることが可能な空気改質装置を提供することを目的とする。
【課題を解決するための手段】
【０００６】
上記課題を解決するために、本第１考案の空気改質装置（３）は、空気の流通経路（１１）中に、木材を炭化炉で高温焼成したものにセラミック加工を施した炭材（４）を収容した空気改質器（３１）を設けて、当該空気改質器（３１）に空気を流入させ、改質された空気を流出させるようにする。
【０００７】
本第１考案によれば、炭材を収容した空気改質装置に空気を流通させることによって祖の改質を図ることができる。
【０００８】
本第２考案のタイヤ空気供給装置（１）は、本第１考案の空気改質装置（３）に圧縮空気を流入させ、当該空気改質装置（３）で改質された前記圧縮空気を車両タイヤに供給する。
【０００９】
本第２考案によれば、空気改質装置で改質された圧縮空気を車両タイヤに供給することによって車両の走行性能を向上させることができる。
【００１０】
上記カッコ内の符号は、後述する実施形態に記載の具体的手段との対応関係を参考的に示すものである。
【考案の効果】
【００１１】
以上のように、本考案の空気改質装置はこれに流入した空気を改質して流出させることができ、特に車両タイヤへ供給する圧縮空気を改質することによってタイヤの特性を向上させることができ、これによって車両の種々の走行性能を向上させることができる。
【図面の簡単な説明】
【００１２】
【図１】空気改質装置を備えるタイヤ空気供給装置の要部斜視図である。
【図２】空気改質装置の拡大斜視図である。
【考案を実施するための形態】
【００１３】
なお、以下に説明する実施形態はあくまで一例であり、本考案の要旨を逸脱しない範囲で当業者が行う種々の設計的改良も本考案の範囲に含まれる。
【００１４】
図１には本考案の空気改質装置をタイヤ空気供給装置に使用した例を示す。図１において、タイヤ空気供給装置１の空気流通経路を構成するエアホース１１には図略のコンプレッサから圧縮空気が供給されており、エアホース１１は公知の筒型乾燥用ドライヤ２に接続されている。そして乾燥用ドライヤ２の出口側に、詳細を以下に説明する空気改質装置３が接続され、空気改質装置３の出口側に、図略の車両タイヤのエヤーバルブにセットされるチャック４が連結されている。
【００１５】
ドライヤ２が連結された空気改質装置３の拡大図を図２に示す。空気改質装置３は空気改質器３１を備えている。空気改質器３１は通常のエアフィルタの容器を流用したもので、対向側面に接続口３２１，３２２を設けた矩形の接続ヘッダ３２を有し、接続ヘッダ３２から下方へ、下端部が湾曲膨出する閉鎖円筒状の本体部３３が延設されている。下端の膨出頂部にはドレイン３４が設けられている。
【００１６】
上記本体部３３内は入口側接続口３２１から出口側接続口３２２へ至る空気流路となっており、当該空気流路内にセラミック加工を施した炭材４が収容されている。炭材４は、木材を炭化炉で焼成したものにセラミックをコーティングしてガラス状に加工して得られるもので、その粒径は１〜８ｍｍ程度である。
【００１７】
このような空気改質装置によって改質した圧縮空気を車両タイヤに供給すると、車両の乗り心地、直進性、コーナリング特性、ブレーキの利き等の走行性能が向上する。
【００１８】
これはタイヤ特性の向上に伴うものと考えられ、その一例として考案者は本考案の空気改質装置３で改質された圧縮空気と、改質されていない通常の圧縮空気を、他の条件を同一にして車両タイヤに供給してその路面粘着率の周波数特性を測定した。なお、測定はボッシュ製テスターＳＤＬ２６０で行った。
【００１９】
これによると、ＦＦ車のタイヤに圧縮空気を供給した場合、表１に示すように、フロントとリアの左右のタイヤで各共振周波数における路面粘着率は、通常の圧縮空気を供給した場合はそれぞれ３４％、４０％、４６％、４４％であるのに対して、改質された圧縮空気を供給した場合にはそれぞれ３６％、４０％、４８％、４７％と向上している。
【００２０】
【表１】
0003216237.tif 000003
【００２１】
また、ＦＲ車のタイヤに圧縮空気を供給した場合にも、表２に示すように、フロントとリアの左右のタイヤで各共振周波数における路面粘着率は、通常の圧縮空気を供給した場合はそれぞれ７０％、７２％、５０％、５５％であるのに対して、改質された圧縮空気を供給した場合はそれぞれ７１％、７３％、５４％、５７％と向上している。
【００２２】
【表２】
0003216237.tif 000004
【００２３】
このように本考案の空気改質装置で改質した圧縮空気を車両タイヤへ供給すると、タイヤの特性が向上して、前述した車両の種々の走行性能を向上させることができる。なお、本考案の空気改質装置の利用範囲は車両タイヤへ供給する圧縮空気に限られるものではない。
【符号の説明】
【００２４】
１１…エアホース（空気流通経路）、３…空気改質装置、３１…空気改質器、４…炭材。
【図１】
0003216237.tif 000005
【図２】
0003216237.tif 000006
(57)【要約】      （修正有）【課題】ドリンクホルダーを療養ベッド等のサイドレールの外側に取り付ける事例で、患者がコップを取ったり置いたりし易く又、サイドレールへのドリンクホルダーの接続部の劣化等に係わらず安定した取り付け状態にドリンクホルダーを保つ療養ベッド用ドリンクホルダーを提供する。【解決手段】ドリンクホルダー１の入口の高さを最上部１３付近に設けてコップの飲み口が最上部１３の上に出るようにし、ドリンクホルダー１の突然の上下傾斜を止めるために、上下２ケ所が、サイドレールの違う箇所のパイプに接することを特徴として取り付ける。【選択図】図１
0003216234.tif 000002
【実用新案登録請求の範囲】
【請求項１】
療養ベッド等のサイドレールの外側に取り付けることを基本とし、コップの飲み口が最上部の上に出るドリンクホルダーであり、サイドレールのパイプへの接続には上下の接続部により取り付ける療養ベッド用ドリンクホルダー。
【請求項２】
療養ベッド等のサイドレールの外側に取り付けることを基本とし、コップの飲み口が最上部の上に出るドリンクホルダーであり、サイドレールのパイプへの接続には上側を接続部により取り付け、下側にサイドレールのパイプに当たる傾斜防止部を有する療養ベッド用ドリンクホルダー。
【考案の詳細な説明】
【技術分野】
【０００１】
本考案は、療養ベッド等のサイドレールに取り付けるドリンクホルダーに関するものである。
【背景技術】
【０００２】
病院の療養ベッドでは、飲み物が入ったコップやペットボトル等の飲料容器を置くには、ベッドとは切り離れたテールワゴンやベッドサイドテーブルのテーブル上を使うことが多かった。
【０００３】
しかし、テーブルワゴンやベッドサイドテーブルのテーブル上に飲み物が入ったコップや口が開いたままのペットボトルや缶飲料を置いたのでは、もしもの時に倒れたら飲み物がこぼれて付近を汚してしまうことになる。
【０００４】
テーブルワゴンやベッドサイドテーブルは移動できるものなので、ベッドから離され、そのままにされてしまったら、歩くこともままならないような患者は、飲み物を取ったり置いたりするのに苦心することになる。
【０００５】
この改善策として、療養ベッド等のサイドレールに取り付けるドリンクホルダー様の考案はされているが、一つの強力クリップによりサイドレールに取り付けるものであったりして、クリップが劣化して傾斜したり上下にずれたりして安定した取り付け状態を保てるかは分からない。また、ドリンクホルダーの下側については傾斜しないよう制止するような考案は示されていない。
【先行技術文献】
【特許文献】
【０００６】
【特許文献１】実登３１８６０６５号公報
【特許文献２】実登３１５１７３１号公報
【考案の概要】
【考案が解決しようとする課題】
【０００７】
解決しようとする問題点は、ドリンクホルダーを療養ベッド等のサイドレールの外側に取り付ける事例で、患者がコップを取ったり置いたりし易く又、サイドレールへのドリンクホルダーの接続部の劣化等に係わらず安定した取り付け状態にドリンクホルダーを保つようにすることである。
【課題を解決するための手段】
【０００８】
本考案は、ドリンクホルダーの入口の高さを最上部付近に設けてコップの飲み口が最上部の上に出るようにし、ドリンクホルダーの突然の上下傾斜を止めるために、上下２ケ所が、サイドレールの違う箇所のパイプに接することを特徴として取り付けるドリンクホルダーに関するものである。
【考案の効果】
【０００９】
本考案の療養ベッド用ドリンクホルダーは、飲料容器を簡単に倒れないようにするのは勿論であり、ドリンクホルダーは安定した取り付け状態を保ち続けることができる。そして、療養ベッド等のサイドレールの外側に取り付ける事例では、コップの飲み口が最上部の上に出ているので患者がコップを取ったり置いたりするのに不具合はない。
【図面の簡単な説明】
【００１０】
【図１】図１はサイドレールへの接続には弾性樹脂のクリップを上下に用いる療養ベッド用ドリンクホルダーの斜視図である。
【図２】図２はサイドレールへの接続には上側はネジ止めにして下側は弾性樹脂のクリップを用いる療養ベッド用ドリンクホルダーの斜視図である。
【図３】図３はサイドレールへの接続には上側は弾性樹脂のクリップで接続して下側は接続させずに傾斜防止部を有する療養ベッド用ドリンクホルダーの斜視図である。
【図４】図４は療養ベッド用ドリンクホルダーを取り付けた療養ベッドの一例の斜視図である。
【図５】図５はフラップが付いた療養ベッド用ドリンクホルダーの上面図である。
【考案を実施するための形態】
【００１１】
療養ベッド等のサイドレール１２の外側に取り付けることを基本とし、コップの飲み口が最上部１３の上に出るドリンクホルダーであり、サイドレールのパイプに応じた接続方法を用いる接続部を有する。
【００１２】
ドリンクホルダーには、飲料容器の保持性をより良くするためにフラップを付けることができる。
【実施例１】
【００１３】
図１は、サイドレールのパイプへの接続には上下の弾性樹脂のクリップの接続部２・３により取り付ける療養ベッド用ドリンクホルダーの一例である。
【００１４】
上下いずれかの接続部を縦のパイプに対応させるようにすることもできる。
【００１５】
上下用レール１０を設けたなら、下側のクリップ３は上下用レールに沿い位置調節可能である。
【実施例２】
【００１６】
図２の実施例は、サイドレールのパイプへの接続には、上側はネジ４で止める接続部により取り付けて、下側は弾性樹脂のクリップ５の接続部により取り付ける療養ベッド用ドリンクホルダーの一例である。
【００１７】
下側の接続部を縦のパイプに対応させるようにすることもできる。
【００１８】
上下用レール１１を設けたなら、下側のクリップ５は上下用レール１１に沿い位置調節可能である。
【実施例３】
【００１９】
図３は、サイドレールのパイプへの接続には上側を弾性樹脂のクリップ６の接続部により取り付け、下側にパイプに当たることにより傾斜を止める傾斜防止部７を有する療養ベッド用ドリンクホルダーの一例である。
【産業上の利用可能性】
【００２０】
療養ベッド等のサイドレールのパイプに適応するように製造が可能である。
【符号の説明】
【００２１】
１    療養ベッド用ドリンクホルダー
２    上側の弾性樹脂のクリップ
３    下側の弾性樹脂のクリップ
４    上側の接続部のネジ
５    下側の弾性樹脂のクリップ
６    上側の弾性樹脂のクリップ
７    傾斜防止部
８    療養ベッド
９    フラップ
１０    下側の弾性樹脂のクリップの上下用レール
１１    下側の弾性樹脂のクリップの上下用レール
１２    サイドレール
１３    最上部
【図１】
0003216234.tif 000003
【図２】
0003216234.tif 000004
【図３】
0003216234.tif 000005
【図４】
0003216234.tif 000006
【図５】
0003216234.tif 000007
(57)【要約】      （修正有）【課題】納豆の味を色々と楽しむことが出来る、総菜とセットにした簡易食品を提供する。【解決手段】容器に入った納豆にビニール小袋に入った総菜（蓮根、松茸、椎茸、昆布、えのきだけ、わかめ、ごぼう、人参、ちりめんじゃこ、筍、蒲鉾、魚、カニ、貝類、等々の煮物）をセットにしたもので、納豆に総菜を入れて一緒に混ぜて食べる。【選択図】図２
0003216228.tif 000002
【実用新案登録請求の範囲】
【請求項１】
容器に入った納豆にビニール小袋に入った｛総菜，惣菜｝以下総菜（蓮根、松茸、椎茸、昆布、えのきだけ、わかめ、ごぼう、人参、ちりめんじゃこ、筍、蒲鉾、魚、カニ、貝類等々の煮物）をセットにしたもので納豆に総菜を入れて一緒に混ぜて食べる、簡易食品
【考案の詳細な説明】
【図面の簡単な説明】
【図１】納豆とその容器
【図２】総菜の入った真空パック  （イ）パックに入れる総菜で例として松茸  （ロ）例として人参
【図１】
0003216228.tif 000003
【図２】
0003216228.tif 000004
【手続補正書】
【提出日】平成30年2月23日(2018.2.23)
【手続補正１】
【補正対象書類名】実用新案登録請求の範囲
【補正対象項目名】全文
【補正方法】変更
【補正の内容】
【実用新案登録請求の範囲】
【請求項１】
容器に入った納豆にビニール小袋又はその他容器に入った｛総菜，惣菜｝以下総菜（蓮根、松茸，椎茸、昆布、えのきだき，わかめ、ごぼう，人参、ちりめんじゃこ、筍，蒲鉾、魚、カニ、貝類等々の煮物又は野沢菜、きゅうり、しょうが、なす、白菜、大根、梅等々の漬物）をセットにしたもので納豆に総菜を入れて一緒に混ぜて食べる、簡易食品
(57)【要約】【課題】  天然木の触感や匂い等の自然の風合いをそのまま活かすことができ、実用にも耐えられる木製家具を提供する。【解決手段】  本考案の木製家具は、天然木１の節や腐食や虫食い等の不要個所２を切除して合成樹脂３を注入及び硬化した少なくとも一面が平板状であるものである。【選択図】図１
0003216227.tif 000002
【実用新案登録請求の範囲】
【請求項１】
天然木の節や腐食や虫食い等の不要個所を切除して合成樹脂を注入及び硬化した少なくとも一面が平板状であることを特徴とする木製家具。
【考案の詳細な説明】
【技術分野】
【０００１】  本考案は、天然木を加工して得られるテーブル、座卓、ついたて等の木製家具に関するものである。
【背景技術】
【０００２】  けやき、さくら等の天然木を加工したテーブル等の各種家具は、一般的に古くから使われている。【０００３】  更に、オンリーワンの独創的な家具を得るために、節を有する突板を貼った木製材料を前板に使用した家具の表面板、天板、側板に、０．１〜０．５ｍｍの厚さで、板面に節の大きさ１０〜７０ｍｍを、１個〜５個を有する突板を張り付けている化粧板を使用している節入り突板張り化粧板を使用した家具もある（例えば、特許文献１参照）。
【先行技術文献】
【特許文献】
【０００４】
【特許文献１】実用新案登録第３２１１２７９号公報
【考案の概要】
【考案が解決しようとする課題】
【０００５】  特許文献１は、安価に独自性の高い木製家具を製造するには適しているが、材料とする天然木とは別の化粧板を付加する構成であることから、前記天然木の触感や匂い等の自然の風合いを活かす点において改良の余地があった。
【課題を解決するための手段】
【０００６】  本考案の木製家具は、天然木の節や腐食や虫食い等の不要個所を切除して合成樹脂を注入及び硬化した少なくとも一面が平板状であることを特徴とするものである。
【考案の効果】
【０００７】  本考案によれば、材料とする天然木の触感や匂い等の自然の風合いをそのまま活かすことができ、実用にも耐えられる木製家具を提供することができる。
【図面の簡単な説明】
【０００８】
【図１】  本考案の実施形態の製造工程を説明する斜視図である。
【考案を実施するための形態】
【０００９】  以下、図面に記載した実施形態に基づいて本考案を説明する。
【００１０】  けやき、さくら等の比較的硬質の天然木１を切り出して、使用予定の家具に合わせた形状、例えば、テーブルに使用する場合には、略矩形、略円形等の所望の平板状に加工する（図１（ａ））。
【００１１】  天然木１全体の洗浄や、節、腐食、虫食い等の不要個所２を切除等の処理を行う（図１（ｂ））。
【００１２】  その後、不要個所２に合成樹脂３を注入及び硬化して少なくとも一面が平板状となるように表面を研磨する（図１（ｃ））。
【００１３】  前記注入及び硬化は、天然目１を型に入れ、合成樹脂３が不要個所に前記注入及び硬化が行われないようにするための養生を行った後、所定の温度、湿度、圧力等の環境下において、所定の時間を要しながら行う作業であるが、斯かる作業は、天然目１の種類や使用する合成樹脂３に応じて適宜選択される。
【００１４】  なお、この実施形態では、天然目１の側面（図の右側面）を整形するために、合成樹脂３を注入及び硬化している例を示している。
【００１５】  なお、合成樹脂３は、透明や半透明や不透明、あるいは、無色または有色等、使用予定の家具に合わせた所望のものを選択することができる。
【００１６】  斯かる作業により、天然木１の触感や匂い等の自然の風合いをそのまま活かしながら、不要個所２を合成樹脂３で埋めた少なくとも一面が平板状となるテーブルの天板を得た後、図示しない脚を下面に取り付けることによりテーブルが完成する。
【００１７】  斯かるテーブルは、天然木１が露出することで触感や匂い等の自然の風合いを醸し出すと共に、表面に凹凸のない平面を有することから物を置くこともできて利便性を損なわない。
【００１８】  もちろん、前記テーブル以外にも、座卓、ついたて等の木製家具を同様に得ることができる。
【００１９】  このように、本考案の木製家具は、材料とする天然木１の節や腐食や虫食い等の不要個所２を切除して合成樹脂３を注入及び硬化した少なくとも一面が平板状であり、天然木１の触感や匂い等の自然の風合いをそのまま活かすことができ、不要個所２を合成樹脂３で埋めることにより少なくとも一面が平板状となり、実用にも耐えられる木製家具を提供できる。
【符号の説明】
【００２０】  １  天然木
２  不要個所
３  合成樹脂
【図１】
0003216227.tif 000003
(57)【要約】      （修正有）【課題】新聞・雑誌等に掲載される「ナンバープレイス」パズルの解答に際し、紙を毀損しやすい、または目を悪くするなどの問題点を解決するための専用紙面を提供する。【解決手段】本考案は、縦９×横９マスの格子を既存の方眼紙よりも大きなサイズで配置し、かつ特定の罫線である外周部罫線１及び内周部罫線２ａ〜ｄを他に比べ太くすることにより上記課題を解決に導くのに加え、問題図面転写時のミスを軽減する。また、下部余白４、５には解答補助の機能、簡易な日記帳としての機能を持たせる。【選択図】図１
0003216224.tif 000002
【実用新案登録請求の範囲】
【請求項１】
ナンバープレイスパズル（以下ナンプレと称する）解答に適した格子様の罫線を配するノート、便せん、ルーズリーフ等の紙面
【請求項２】
請求項１に加え、その罫線下部余白に１〜９の数字を印字し、さらにその下部に罫線を配するノート、便せん、ルーズリーフ等の紙面
【考案の詳細な説明】
【技術分野】
【０００１】本考案は、ナンプレ解答専用罫線を配したノート、便せん、ルーズリーフ等の紙面に関するものである。
【背景技術】
【０００２】ナンプレとは、一定の規則に従って数字を配置するパズルゲームの一形態であり、「数独」の商標でも知られている。ルールの簡明さから幅広い年齢層に認知されている。【０００３】問題図面は、新聞や週刊誌等の紙媒体、パズル専門雑誌、インターネット等で幅広く提供されているところであるが、パズルゲームの性質上、その解答には複数回の試行錯誤が必然的に要求される。【０００４】しかしながら、新聞や雑誌で提供されている問題図面は、紙面の制約もあり小規模のスペースに書かれており、加えて新聞や雑誌に用いられる紙質では、その脆弱さゆえに試行錯誤を繰り返すうちに紙面を毀損する虞がある。【０００５】加えて、問題図面のスペースが小さいということは、特に中高齢者層の視力低下に悪影響を及ぼす懸念がある。【０００６】ナンプレ愛好者の間では、上記の問題点に対し、当該問題図面をその都度拡大複写して対応しているのが実情である。
【先行技術文献】
【特許文献】
【特許文献１】
【非特許文献】
【０００７】
【非特許文献１】読売新聞  平成３０年１月８日  日曜版３面「数独」
【考案の概要】
【考案が解決しようとする課題】
【０００８】本考案は、以上のような従来の欠点に鑑み、ナンプレの解答に適した格子様の罫線を大きめに配置したノート、便せん、ルーズリーフ等の提供をすることで前述の課題を解決しようとするものである。
【課題を解決するための手段】
【０００９】ナンプレ解答に最適化するため、紙面の概ね７０％程度を用い、横９マス、縦９マスの格子を配置する。既存の方眼紙と異なり、外周部、及び、外周部を構成する罫線を含み上から４本目、上から７本目、左から４本目、左から７本目の罫線は他の罫線より一際太い線とすることにより問題図面の正確な転写及び解答の促進に寄与する。（請求項１）【００１０】格子の下部には１から９の数字を記載し、解答の進捗度合いを確認するための補助とする。また、下部には従来のノート類と同様の罫線を配置し、フリースペースとする。（請求項２）
【考案の効果】
【００１１】本考案により、前述の通り新聞紙、週刊誌においてみられた問題図面毀損のリスクを著しく減じるとともに、大きな罫線を配することにより、視力への影響を比較的軽微なものとする。また、問題図面を都度拡大複写する手間を簡略化できる。【００１２】更に、請求項２の効果により、簡易な日記帳としての機能を持たせることにより、中高年者層の認知機能の維持に寄与する。
【図面の簡単な説明】
【００１３】
【図１】本考案のナンプレ解答用罫線及び余白部罫線等の配置を示した図面。
【考案を実施するための形態】
【００１４】  紙面の概ね７０％を占有し、符号１から３にて構成する格子を配置する。その際、外周部罫線１及び内部罫線（太）２ａ〜ｄは同じ太さの罫線とし、内部罫線３ａ〜ｌとは明確に異なる太さとする。また、外周部罫線１は正方形をなし、各罫線２ａ〜ｄ、３ａ〜ｌは各々等間隔で引かれるため、各マス目は正方形をなす。
【実施例】
【００１５】  以下、添付図面に従って実施例を説明する。使用者は、他媒体のナンプレ問題図面から、本考案の解答専用紙面の格子内に初期数字配置を転写する。マス目の合計は９×９＝８１マスとなるが、外周部罫線１及び内部罫線２ａ〜ｄの効果により、３×３の格子が９つで構成されているようにも見えることから、転写ミスを軽減することに寄与する。【００１６】  解答補助用符号４は、１から９の数字を一列に配置してあり、解答過程においてマス目内に正確に配置できたと考えられる数字を適宜抹消することで状況の整理を促進する。さらに下部の余白は自由記入欄５とし、利用者が解答日や解答に要した時間、その日の出来事などを自由に記入することで記憶保持、認知機能の維持等に寄与することが期待される。
【符号の説明】
【００１７】１    外周部罫線
２    内部罫線（太）
３    内部罫線（細）
４    解答補助用符号
５    自由記入欄
【図１】
0003216224.tif 000003
(57)【要約】      （修正有）【課題】便座に座る時、臀部の皮膚が、便座に接触する事で、便座使用時の、抵抗感や、非清潔感があり、これに対し、皮膚の非接触で、トイレを済ませることができる皮膚非接触便座を提供する。【解決手段】現在使用されている平坦な便座４面の先端から、半分を５ｍｍ高くして段差のある一体成型の便座を使用することで、トイレ使用時、この５ｍｍ段差のある形状からはみ出た、臀部の一部の皮膚が接触しにくい形状とする。【選択図】図１
0003216208.tif 000002
【実用新案登録請求の範囲】
【請求項１】
この簡易便座は、トイレを使用する時、臀部の皮膚が、便座に接触するのを防ぐために、考案された便座で、その構造は、臀部の皮膚が、パンツより，はみ出さない範囲の位置と面積確保、又、はみ出た時，その臀部の皮膚が、便座に接触しない、段差を設けた、便座である。
【請求項２】
トイレを使用する時、ズボンを緩め、、パンツと一緒に、臀部の下に敷き座る、又、ズボンを下げ、パンツのみを、臀部の下に敷き座る、男性の場合は、ペニスをパンツの下側にして、座る事で、尿の飛散防止を図る等と、従来通りの使用方法も、出来る便座である。
【考案の詳細な説明】
【技術分野】
【０００１】  本考案は臀部の、皮膚、非接触、簡易便座に関するものである。
【背景技術】
【０００２】  不特定多数の人が使用する便座で、水分や、ほこりが着いた、便座、冬季の冷たい便座、等、使用時の抵抗感を払拭する便座の解決が必用、特に海外では衛生面でも、不特定多数の人が使用する便座の、皮膚接触には、大きな抵抗感がある。
【考案の概要】
【考案が解決しようとする課題】
【０００３】  便座に座る時、臀部の皮膚が、便座に接触する事で、便座使用時の、抵抗感や、非清潔感があり、皮膚の非接触で、トイレが、済ませる、便座の開発が課題である。
【課題を解決するための手段】
【０００４】  トイレを使用する時、ズボンを緩め、、パンツと一緒に、臀部の下に敷き、座る、又、ズボンを下げ、パンツのみを、臀部の下に敷き座る等、により、皮膚接触が、無い状態で、トイレが使用できる簡易便座である、男性の場合は、ペニスを、パンツの下側にして座る事で、尿の飛散防止を図る、この便座の特徴は、パンツの広がる位置と、面積確保、又、この範囲から出た臀部の皮膚が、便座に接触しないように、段差を設けている。
【考案の効果】
【０００５】  テスト品は合板で、製作して、３点支持の、両面接着で、固定して、日々のトイレでの効果を，家族で確認した、結果は、別に問題なく、簡単に、使用出来た、この使用方法は，私個人では、既に長く、実行しており、実績のある、方法であり、日々の便座の、使用方法と、大きく変わる、ことなく、ズボンと、パンツを下げ、臀部の下に、敷くだけで、臀部の皮膚、非接触で、トイレが使用でき、不特定多数の、人が使用している、便座の抵抗感や、非清潔感、及び衛生面での不安等が消え、気持ちの良い、トイレの使用が出来る。
【図面の簡単な説明】
【０００６】
【図１】  臀部の皮膚、非接触便座の全体図
【考案を実施するための形態】
【０００７】  今回のテスト品は、合板で製作したもので、トイレ開口部の２分１以下の面積で、段差５ｍｍで作り、３点支持の厚手の両面接着テープで固定、この便座の特徴は、パンツの広がる位置と、面積確保で、又この範囲から出た、臀部の皮膚が、便座に接触しないように、５ｍｍの段差を設けている、トイレを使用する時、ズボンを緩め、、パンツと一緒に、臀部の下に敷き、座る、又は、ズボンを下げ、パンツのみを、臀部の下に敷き、座る等、により皮膚接触が無い状態で、トイレが使用できる、男性の場合は、ペニスをパンツの下側にして座る事で、尿の飛散防止を図る、等により、皮膚接触が無い状態で、使用できる便座である、尚、従来通りのトイレ使用も出来る。
商品化は、各メーカーの便座形状が、少し違っており、これらを考慮した、樹脂成型と、又、脱着容易化のため、上から簡単に嵌合出来る、設計が必要である，出来れば最初から一体成型が望ましい。
【符号の説明】
【０００８】
0003216208.tif 000003
１    タンク
２    蓋
３    便器本体
４    便座
５    簡易便座
６    ３点支持、厚手両面接着テープで、接着力は非常に強い、テープは、プラスチック対応で、長さ５０、幅１９、厚み１．１
７    内外周面取りＣ３、又は角部の滑らかな面が必要
【図１】
0003216208.tif 000004
【手続補正書】
【提出日】平成30年2月26日(2018.2.26)
【手続補正１】
【補正対象書類名】実用新案登録請求の範囲
【補正対象項目名】全文
【補正方法】変更
【補正の内容】
【実用新案登録請求の範囲】
【請求項１】
現在使用されている平坦な便座面の先端から、半分を５ｍｍ高くして段差のある一体成型の便座を使用することで、トイレ使用時、この５ｍｍ段差のある形状からはみ出た、臀部の一部の皮膚が接触しにくい形状を特徴とする皮膚非接触便座。
【手続補正２】
【補正対象書類名】明細書
【補正対象項目名】０００８
【補正方法】変更
【補正の内容】
【０００８】１    タンク
２    蓋
３    便器本体
４    便座
５    臀部の皮膚非接触便座
【手続補正３】
【補正対象書類名】図面
【補正対象項目名】全図
【補正方法】変更
【補正の内容】
【図１】
0003216208.tif 000005
(57)【要約】      （修正有）【課題】釣り糸が引っ掛かるトラブルが減少し、手返し良く、スムーズに釣りを行うことができる釣り具を提供する。【解決手段】ベイトリールを構成するネジに、針、おもり、ルアーを共締めして引っ掛け収納する。釣り糸の通過点には関係ない位置に設置されるので、釣り糸のトラブルが減少し、リール本体へのダメージも軽減する。竿の持ち手の近くに位置するため、ルアーを外す動きが小さくなり、手返しが良くなる。【選択図】図１
0003216209.tif 000002
【実用新案登録請求の範囲】
【請求項１】
釣り具
【考案の詳細な説明】
【技術分野】
【０００１】
本発明は魚釣道具に関する。
【背景技術】
【０００２】
特にありません。
【先行技術文献】
【非特許文献】
【０００３】
【非特許文献１】従来のフックキーパーの一例  富士工業カタログ2017  102ページ
【考案の概要】
【考案が解決しようとする課題】
【０００４】
釣りを行う際、竿を置くときなどに、糸が絡まないように、針や錘やルアーなどを引っ掛けておくのですが、従来の方法では竿のガイドに掛けたり、竿の胴の部分にルアー＆フックキーパーを取り付けていました。
竿に着けている従来のルアー＆フックキーパーには、時として釣りを行っている際、糸がそのものに引っ掛かるなどのトラブルを引き起こす。
それをベイトリールに装着し、引っ掛ける場所が手元に来るので、より手返し良く、スムーズに釣りを行うことができる。
【課題を解決するための手段】
【０００５】
ベイトリール用ルアー＆フックキーパーにはネジを通す穴があり、その穴にリールを組み立てているネジの一つ、使い良いと思う邪魔にならない任意の場所に共締めする。図1は取り付けの一例。
【考案の効果】
【０００６】
リール本体に取り付けているため、竿の持ち手とルアーが近づくため、手返しが良くなる。従来ベイトリールの本体上部に直接引っ掛ける方もいらっしゃいますが、その方法ではリール本体に傷が付きます、この製品は傷を少なくする事が出来ます。
【図面の簡単な説明】
【０００７】
【図１】ベイトリール用ルアー＆フックキーパーの取り付け場所、取り付け方法の一例。
【図２】ベイトリール用ルアー＆フックキーパーの設計図。
【図３】実際の取り付け例１
【図４】実際の取り付け例２
【考案を実施するための形態】
【０００８】
図1のワイヤーが製品版の形状ですが、図2の様なプレス加工で作成することも可能である。
カギ状の引っ掛ける部分と、リール本体に使われているネジの太さが通る穴または、ネジに挟み込める形状のものもこの発明に含まれます。ネジに共締めするので、金属が好ましいが、もちろん樹脂でも作成可能です。
この形状では、おもりも引っ掛けることが可能です。
オフセットフックを使用している時、この形状のベイトリール用ルアー＆フックキーパーでは、針先を外すことなくルアーを引っ掛けるとができます。
【実施例】
【０００９】
図3はS社製リールへの取り付けの一例です。
図4は弊社製リールへの取り付けの一例です。
【産業上の利用可能性】
【００１０】
リールだけではなく、ネジの取り付け穴さえあれば、竿本体や、リールシートにも取り付け利用可能である。
【図１】
0003216209.tif 000003
【図２】
0003216209.tif 000004
【図３】
0003216209.tif 000005
【図４】
0003216209.tif 000006
【手続補正書】
【提出日】平成30年3月2日(2018.3.2)
【手続補正１】
【補正対象書類名】実用新案登録請求の範囲
【補正対象項目名】全文
【補正方法】変更
【補正の内容】
【実用新案登録請求の範囲】
【請求項１】
ベイトリールを構成するネジに共締めして、針、おもり、
ルアーを引っ掛け収納することを特徴とする釣り具。
(57)【要約】      （修正有）【課題】４ストロークエンジンの吸気行程時に発生する吹き返しを抑制することで出力・燃費・回転レスポンスの向上をはかったエアーマジックを提供する。【解決手段】円柱ケースに円すい形状のインナー部材を３本のネジで固定したエアーマジックであって、外気Ｃが吸気バルブへと向かい、インナー部材には、吸気バルブ側から逆流する吹き返しのエアーＤを再び吸気バルブ側へ向かわせる穴Ｅが、６カ所切削により形成されている。このエアーマジックを４ストロークエンジンの吸気ダクトとエンジンの間に取り付けることにより、エンジンの出力・燃費・回転レスポンスの向上が可能となる。【選択図】図３
0003216204.tif 000002
【実用新案登録請求の範囲】
【請求項１】
４ストロークエンジンの吸気行程に発生する吹き返しを抑制し出力・燃費・回転レスポンスの向上を狙ったアイテム
【考案の詳細な説明】
【技術分野】
【０００１】４ストロークエンジンの吸気行程時に発生する吹き返しをエアーマジックが抑制することで、出力・回転レスポンスの向上を狙ったアイテム
【背景技術】
【０００２】通常４ストロークエンジンの吸気行程時に発生する吹き返しによるエネルギーをロスしていた。
【考案の概要】
【考案が解決しようとする課題】
【０００３】通常の吸気行程時に発生する吹き返しによるエネルギーロスの欠点を解決しようとすものである。
【課題を解決するための手段】
【０００４】  本考案は４ストロークエンジンの吸気行程を行う吸気ダクトの間にエアーマジックを取り付けて空気の流れにより問題点を解決している。
【考案の効果】
【０００５】上記のように取り付けたことにより吸気行程において外気の流入により吸気バルブからの逆流する吹き返しのエアーを再び吸気バルブに戻すことによりエンジンの出力・燃費・回転レスポンスの向上に効果がでた。
【図面の簡単な説明】
【０００６】
【図１】上面
【図２】下面
【図３】断面
【考案を実施するための形状】
【０００７】円柱アウターケースに円すい形状のインナーを三カ所のネジで固定してた金属製形状
【実施例】
【０００８】４ストロークエンジンの吸気ダクトとエンジンの間にエアーマジック取り付ける。【０００９】エンジンを始動することによりエアーマジックを通過するエアーの流れにより吹き返しエアーを押さえ、理想なエンジン出力を得ることができる。
【産業上の利用可能性】
【００１０】エアーマジックを装着することにより４ストロークエンジンの吸気効率向上に伴い出力向上無駄の少ない燃料消費を実現できる可能性があります。
【符号の説明】
【００１１】１  本体アウター
２  本体インナー
３  取り付けた金具
Ｃ  エアーの流れ外気
Ｄ  エアーの流れ内気
Ｅ  エアーの流れＤをＣに送る通風口
【図１】
0003216204.tif 000003
【図２】
0003216204.tif 000004
【図３】
0003216204.tif 000005
【手続補正書】
【提出日】平成29年11月30日(2017.11.30)
【手続補正１】
【補正対象書類名】実用新案登録請求の範囲
【補正対象項目名】全文
【補正方法】変更
【補正の内容】
【実用新案登録請求の範囲】
【請求項１】
円柱ケースの内側に円すい形状のインナー部材を固定し、前記円すい形状のインナー部材に吹き返しのエアを再び吸気バルブ側へ向かわせる穴が形成された、４ストロークエンジンの吸気行程に発生する吹き返しを抑制し出力・燃費・回転レスポンスの向上を狙ったエアーマジック。
(57)【要約】      （修正有）【課題】本考案は、３Ｄ網目枕を提供する。【解決手段】本考案に係る３Ｄ網目枕は枕の本体を含み、枕の本体は中身と殻２を含み、その中に前記中身と殻２の表面が３Ｄ網目材料を通じて形成される連続する３Ｄ網目構造２４を使って、全ての３Ｄ網目構造２４の深さは１０−１５ｍｍで、上下端の断面は左右に対称し、対辺が平行する六角形形状の穴で、前記六角形形状の穴は非正六角形形状の穴で、最も狭い対辺距離は５−８ｍｍ、最も大きい頂点距離は１１−１４ｍｍである。本考案の３Ｄ網目枕は、通気性と透水性がもっとよく、水洗いができ洗浄しやすく、枕と人の頭部をもっとよく張り合わせて、人体の圧力を分散し、人体の頭頸部をもっとよく保護し、人にもっと快適に睡眠させる。【選択図】図１
0003216651.tif 000002
【実用新案登録請求の範囲】
【請求項１】
3D網目枕であって、枕の本体を含み、前記枕の本体は中身と殻を含み、前記中身と前記殻の表面は3D網目材料を通じて形成される連続する3D網目構造であり、全ての前記3D網目構造の深さは10-15mmであり、上下端の断面は左右に対称であり、対辺が平行する六角形形状の穴であり、前記六角形形状の穴は非正六角形形状の穴であり、最も狭い対辺距離は5-8mmであり、最も大きい頂点距離は11-14mmであり、前記中身の上表面の両端が突起し突起部を形成し、中がへこんで凹部を形成し、前記中身は多層に折り畳んで、各層の間は穿孔を通じて固定され、前記穿孔が前記中身の断面の中心に位置し、前記穿孔と前記中身の両側が外側との距離は20-30cmであり、前記中身の四方がすべすべであり、とげが前記中身から湧かせなく、前記殻がはめ込み縄を含み、それが前記殻の二つの短辺に設置され、前記殻の短辺の弾性が大きすぎることを防ぎ、固定の作用を果たし、前記はめ込み縄の長さは0.6-1.0mであり、前記殻がストラップを含み、それが前記殻の周囲に設置され、円を形成し前記殻のバリを包むことに用い、前記殻の手触りをすべすべにさせることを特徴とする3D網目枕。
【考案の詳細な説明】
【技術分野】
【０００１】
本考案は、寝具技術分野に属し、特に3D網目枕に関する。
【背景技術】
【０００２】
現在の枕の縦断面の形状は基本的には楕円形であり、それは頭部と接触する部位の高さが高く、両側の高さが低く、このため人体の圧力を分散することに不利であり、頭頸部と腰椎が完全にリラックスできない。それ以外に、現在の枕の中身と殻は普通、材料を使って穴を開けないため、通気性と透水性が悪く、枕全体が洗浄しにくいことを引き起こす。
【考案の概要】
【考案が解決しようとする課題】
【０００３】
本考案の目的は通気性と透水性がもっとよい3D網目枕を提供し、水洗いができ洗浄しやすく、枕と人の頭部をもっとよく張り合わせて、人体の圧力を分散し、人体の頭頸部をもっとよく保護し、人にもっと快適に睡眠させる。
【課題を解決するための手段】
【０００４】
この目的を実現するため、本考案に係る3D網目枕は、枕の本体を含み、枕の本体は中身と殻を含み、その中に前記中身と前記殻の表面が3D網目材料を通じて形成される連続する3D網目構造であり、全ての前記3D網目構造の深さは10-15mmで、上下端の断面は左右に対称し、対辺が平行する六角形形状の穴で、前記六角形形状の穴は非正六角形形状の穴で、最も狭い対辺距離は5-8mm、最も大きい頂点距離は11-14mmである。
【０００５】
好ましい実施形態において、本考案は3D網目枕を提供し、特に前記中身の上表面の両端が突起し突起部を形成し、中がへこんで凹部を形成する。
【０００６】
好ましい実施形態において、本考案は3D網目枕を提供し、特に前記中身が多層に折り畳んで、各層の間に穿孔を通じて固定する。
【０００７】
もっと好ましい実施形態において、本考案は3D網目枕を提供し、特に前記穿孔が前記中身の断面の中心に位置する。
【０００８】
もっと好ましい実施形態において、本考案は3D網目枕を提供し、特に前記穿孔と前記中身の両側が外側との距離は20-30cmである。
【０００９】
好ましい実施形態において、本考案は3D網目枕を提供し、特に前記中身の四方がすべすべで、とげが前記中身から湧かせないである。
【００１０】
好ましい実施形態において、本考案は3D網目枕を提供し、特に前記殻がはめ込み縄を含み、それが前記殻の二つの短辺に設置され、前記殻の短辺の弾性が大きすぎることを防ぎ、固定の作用を果たす。
【００１１】
好ましい実施形態において、本考案は3D網目枕を提供し、特に前記はめ込み縄の長さは0.6-1.0mである。
【００１２】
好ましい実施形態において、本考案は3D網目枕を提供し、特に前記殻がストラップを含み、それが前記殻の周囲に設置され、円を形成し前記殻のバリを包むことに用いて、前記殻の手触りをすべすべにさせる。
【考案の効果】
【００１３】
本考案に係る3D網目枕は、通気性と透水性がもっとよく、水洗いができ洗浄しやすく、枕と人の頭部をもっとよく張り合わせて、人体の圧力を分散し、人体の頭頸部をもっとよく保護し、人にもっと快適に睡眠させる。
【図面の簡単な説明】
【００１４】
【図１】図１は本考案の3D網目枕の立体構造概略図である。
【図２】図２は図１の中の中身部分の構造図である。
【図３】図３は図の中の殻部分の構造図である。
【図４】図４は図２の中の中身の3D網目構造の上下端断面拡大概略図である。
【図５】図５は図３の中の殻の3D網目構造の上下端断面拡大概略図である。
【考案を実施するための形態】
【００１５】
下記に図面を交え本考案の具体的な実施形態に対して更に説明する。
【００１６】
本考案に係る3D網目枕の構造は図１−３が示すように、枕の本体を含み、枕の本体は枕の本体は中身１と殻２を含む。中身１は穿孔１１、中身3D網目構造１２を含み、殻２ははめ込み縄２１、短辺２２、ストラップ２３、殻3D網目構造２４を含む。
【００１７】
中身１が四層に折り畳んで、四層の間に穿孔１１を通じて固定し、穿孔１１が前記中身１の断面の中心に位置し、中身１の両側が外側との距離は２５cmで、中身１の四方がすべすべで、とげが前記中身１から湧かせなく、中身１を加工する労力を節約できる。
【００１８】
はめ込み縄２１が殻２の二つの短辺２２に設置され（二つの短辺２２にそれぞれ一本のはめ込み縄２１が設置される）、短辺２２の弾性が大きすぎることを防ぎ、固定の作用を果たす。はめ込み縄２１の全長は０．８mで、ストラップ２３が殻２の周りに設置され、円を形成し殻２のバリを包むことに用いて、殻２の手触りをすべすべにさせる。
【００１９】
図４と図５が示すように、中身１と殻２の表面が3D網目材料を通じて連続する中身3D網目構造１２と殻3D網目構造２４を形成し、中身3D網目構造１２と殻3D網目構造２４の深さは15mmで、上下端の断面は左右に対称し、対辺が平行する六角形形状の穴で、この六角形形状の穴は非正六角形形状の穴で、最も狭い対辺距離は７mm（つまり図４と図５の互いに平行するAB辺とDE辺の間の距離）、最も大きい頂点距離（つまり図４と図５のC点とF点の間の距離）は１２mmである。
【図１】
0003216651.tif 000003
【図２】
0003216651.tif 000004
【図３】
0003216651.tif 000005
【図４】
0003216651.tif 000006
【図５】
0003216651.tif 000007
(57)【要約】      （修正有）【課題】布上に符点を簡単な手段でマークし、しかもクロス・ステッチ刺繍の最多のゲージが得られる符点転写プレートを提供する。【解決手段】透明な長方形状の樹脂プレートに、所定ピッチで複数の孔を形成した符点転写プレートであって、長方形状の一方側には所定ピッチで複数の第１穴２が設けられて第１穴群Ｘが形成され、他方側には、第１穴群のピッチよりも長いピッチで複数の第２穴３が設けられて、第２の穴群Ｙが形成されている。又、第２穴群には、第２穴の２倍ピッチとなる第３穴４が設けられて、第３穴群Ｚが形成されている。ピッチの異なる多種の穴群が形成され、最少の符点転写プレート枚数と最多のクロス・ステッチ用ゲージ数に対応できる。【選択図】図１
0003216629.tif 000002
【実用新案登録請求の範囲】
【請求項１】
透明な長方形状の樹脂プレートに、所定ピッチで複数の孔を形成した符点転写プレートであって、当該符点転写プレートは、長方形状の一方側には所定ピッチで複数の第１穴が設けられて第１穴群が形成され、他方側には、第１穴群のピッチよりも長いピッチで複数の第２穴が設けられて、第２の穴群が形成されていることを特徴とする符点転写プレート。
【請求項２】
前記符点転写プレートの少なくとも一辺には、前記第１穴と前記第２穴がそれぞれ半分の穴とされた半穴部が形成されていることを特徴とする請求項１記載の符点転写プレート。
【考案の詳細な説明】
【技術分野】
【０００１】  本考案は、クロス・ステッチ刺繍の際使用するクロス・ステッチ用符点転写プレートに関するものである。
【背景技術】
【０００２】  クロス・ステッチとは、規則正しいことの美しさ故、縦・横の織目がはっきりとし、しかも正方形がとれる布地でなければいけない。縦・横にマス目入り（織目）の布が市販されているように一部の布にしかクロス・ステッチが出来ない。
【先行技術文献】
【特許文献】
【０００３】
【特許文献１】実用新案登録第３１６８７４９号、第３１７３６７４号
【考案の概要】
【考案が解決しようとする課題】
【０００４】  従来の技術では特定の布にしかクロス・ステッチ刺繍が出来ない。［特許文献１］熱転写は、加熱手段が必要、他のひとつは、孔設が複雑でプレートの制作困難。従ってこれらの欠点を解決しようとするものである。
【課題を解決するための手段】
【０００５】  透明をした樹脂製の符点転写プレート１枚のものを２枚に分散し複雑化を解決、プレートの上側半分に縦・横同ピッチマス形を連結孔設し、下側半分に上部と異なるピッチを同様孔設、他の一枚も同様に異なるピッチ孔設する。従って、クロス・ステッチゲージが最多なものになる。
【考案の効果】
【０００６】  本考案は、上述通り構成されており、次の効果あり。即ち定められた布地にしかクロス・ステッチ刺繍が出来なかったが、平織布であれば衣類・袋物・バッグ・その他広範囲にそれが可能となる。
【図面の簡単な説明】
【０００７】
【図１】本考案の符点転写プレートの平面図
【図２】布上に符点転写の作成要領図
【図３】布上に符点転写・クロス・ステッチの位置図
【図４】クロス・ステッチ刺繍の完成状態図
【考案を実施するための形態】
【０００８】  本考案の実施例について、以下図面に基づいて説明する。符点転写プレート１は、透明な樹脂材で構成されており、横長の長方形状とされている。この符点転写プレート１は、長方形状の約左半分に所定ピッチ、例えば３ｍｍ間隔で、０．５ｍｍ程度の第１穴２．２が複数設けられて、第１穴群Ｘが形成されている。
【０００９】  一方、符点転写プレート１の右半分には、前記第１穴２．２のピッチよりも長いピッチ、例えば、４ｍｍ間隔で、０．５ｍｍ程度の第２穴３．３が複数設けられて第２穴群Ｙが形成されている。又、この第２穴群Ｙには、第２穴３．３の間隔の半分となる２ｍｍ間隔で、０．５ｍｍ程度の第３穴４が設けられて、第３穴群Ｚが形成されている。
【００１０】  前記した符点転写プレート１の上側の一辺５には、前記第１穴２の半分の穴とされた半穴部６が形成されている。又、右側の一辺７には、第３穴４の半分の穴とされた半穴部８が形成されている。なお、本実施例では、第３穴群Ｚが形成されない場合は、第２穴３の半分の穴とされた半穴部となる。
【００１１】  布に転写時使用するペン２は、水性顔料製でインクが自然に消えないものを使用（刺繍の完成迄）。
【００１２】  本考案は、符点転写プレート１は、布にフィットするように柔軟性を有するように天然セルロース系の軟質プラスチックを使用し、厚みは、例えば０．７５ｍｍとされている。そして、横の長さは使い勝手を考慮して２０ｃｍ程度、縦の長さは４ｃｍとしてある。穴サイズは、例えば０．５ｍｍとしている。
【００１３】  本考案のクロス・ステッチの刺繍の仕方について、図２〜図４に基づいて説明する。まず、図２に示すように布１１上に符点転写プレート１を載せ、第１穴２、第２穴３にペンＰを直角に押し当てて刺繍する図案の範囲を転写（マーキング）する。なお、このマーキングされた部分を付点１２とする。
【００１４】  次に符点転写プレート１を布１１から外し、転写（マーキング）されている部分について図案を確認しながら必要とされる符点１２と符点１２とを糸１３でクロスに結んでクロス・ステッチ刺繍１４する（図３参照）。
【００１５】  次に布４上に転写（マーキング）された部分を水を含んだ布か綿棒で軽くトントンと叩いて消していくことで、クロス・ステッチ刺繍１４が完成する（図４参照）。
【符号の説明】
【００１６】  １    符点転写プレート
２    ０．５ｍｍ程度の第１穴２．２（３ｍｍ）
３    ０．５ｍｍ程度の第２穴３．３（４ｍｍ）
４    ０．５ｍｍ程度の第３穴３．３／２間隔（２ｍｍ）
５    符点転写プレートの上側の一辺
６    第１穴２の半分の穴
７    第３穴４の半分の穴
８    半穴部
９    下側目盛、布上にて左右に移動時使用
１０  左右側目盛、布上にて上下移動時使用
【図１】
0003216629.tif 000003
【図２】
0003216629.tif 000004
【図３】
0003216629.tif 000005
【図４】
0003216629.tif 000006
【手続補正書】
【提出日】平成30年3月1日(2018.3.1)
【手続補正１】
【補正対象書類名】実用新案登録請求の範囲
【補正対象項目名】全文
【補正方法】変更
【補正の内容】
【実用新案登録請求の範囲】
【請求項１】
透明な長方形状の樹脂プレートに、所定ピッチで複数の孔を形成した符点転写プレートであって、当該符点転写プレートは、長方形状の一方側には所定ピッチで複数の第１穴が設けられて第１穴群が形成され、他方側には、第１穴群のピッチよりも長いピッチで複数の第２穴が設けられて、第２の穴群が形成されていることを特徴とする符点転写プレート。
【請求項２】
前記符点転写プレートの少なくとも一辺には、前記第１穴と前記第２穴のそれぞれの穴の半円が切り取られた半穴部が形成されていることを特徴とする、請求項１記載の符点転写プレート。